(57)【要約】【課題】  携帯しやすく、容器のリサイクルに際し分別作業の簡素化を図る。  【解決手段】  容器１００はペットボトル５０の少なくとも胴部に略矩形の感熱密着性ラベル１０を巻回してなり、前記感熱密着性ラベル１０の上辺近傍に指を掛けられる孔１２を設けた舌片部１１を突設した構成。前記感熱密着性ラベル１０は支持体が無収縮性のポリエチレンテレフタレ−トフイルム、厚さ寸法１００μｍ、両端の幅５〜１０ｍｍの範囲に加熱発泡性微粒子５〜３０％重量を含有する発泡性感熱粘着剤１５を塗布している。【選択図】  図１
2008007140.tif 000002
【特許請求の範囲】
【請求項１】
容器本体と,該容器本体の少なくとも胴部を包囲したラベルとからなり、前記ラベルに指を掛けられる孔を設けたことを特徴とする容器。
【請求項２】
ラベルに舌片部を設け、前記舌片部に指を掛けられる孔を設けたことを特徴とする請求項１記載の容器。
【請求項３】
指を掛けられる孔の周囲に舌片形状を形成するごとくミシン目、切れ目、切り欠き部の内のいずれか一つを設け、前記舌片形状を切り起し可能にしたことを特徴とする請求項１記載の容器。
【請求項４】
少なくとも胴部を包囲するラベルが筒状の熱収縮性樹脂フィルムまたは平板状の無収縮性樹脂フィルムのいずれか一方からなることを特徴とする請求項１〜３のいずれか１項に記載の容器。
【請求項５】
容器本体を缶、瓶、ペットボトル、紙パックの内のいずれか一つとしたことを特徴とする請求項１〜３のいずれか１項に記載の容器。
【発明の詳細な説明】
【技術分野】
【０００１】
本発明は、飲料、調味料、液体調理材、薬剤等を入れる缶、瓶、ペットボトル、紙パックなどの容器に関する。詳しくは、把手を備えていなくても容器本体の胴部に指を掛けてぶら下げられる容器に関する。
【背景技術】
【０００２】
把手を持たない缶、瓶、ペットボトル、紙パックなどの容器は片手で複数本をまとめて持ちにくい。特に内容積が2リットル程度の大型容器は片手で複数本を持つことは極めて難しい。また、前記容器を携帯する場合、容器の胴部を手で把持するか、ネック部(ボトルネック)を二本の指で挟んで持ち歩いていた。従って、長時間の携帯は指が疲れ、容器の取扱いと持ち運びが不便であった。さらに、老人・子どもなど握力が弱い人は小型の容器でさえ手で把持するのに難渋していた。
【０００３】
さらに、小型の冷たい飲料缶や熱い飲料缶に対しては、消費者がハンカチやティッシュペーパーでくるんだりして持つか、特開平１１−３１８６７６号公報のように、容器サイズに合わせた袋状のホルダーを用意するか、実開平５−６８８４０号公報のように、容器サイズに合わせた保持具を用意する必要があった。
【０００４】
さらに、樹脂製シート材などの破れ難く、強度のあるシート状部材に、切り込みを入れて整形したものを容器に貼り付け、その一部をフレキシブル把手として利用するものが特開２００２−３３７８８２号公報に提案されている。
【特許文献１】平１１−３１８６７６号公報
【特許文献２】実開平５−６８８４０号公報
【特許文献３】特開２００２−３３７８８２号公報
【発明の開示】
【発明が解決しようとする課題】
【０００５】
しかし特許文献１〜３においては、容器保持部材を別途用意する必要があり使用または取り扱い、携帯などが面倒で、保持部材の製作費用を要していた。
また、特許文献３は容器にフレキシブル把手を貼り付けて使用するため、フレキシブル把手が使い捨てとなり再使用が困難であった。また、資源のリサイクルに際し、フレキシブル把手を容器または容器を覆うラベルから引き剥がして分別処理する必要があった。
【０００６】
本発明は把手の無い容器を指でぶら下げ携帯しやすくすることを目的とする。また、容器携帯の際、容器保持部材を別途用意することを不要にする。さらに、容器のリサイクルに際し分別作業を容器と該容器の胴部を覆うラベルとに分けるだけの簡素化を図ることを目的とする。
【課題を解決するための手段】
【０００７】
本発明にかかる容器は、容器本体と,該容器本体の少なくとも胴部を包囲したラベルとからなり、前記ラベルに指を掛けられる孔を設けたことを特徴としたもので、これにより前記ラベルの孔に指を掛けて前記容器をぶら下げられ携帯が楽になる。また、指ごとに容器をぶら下げて持ち運ぶこともできる。さらに、容器のリサイクルに際し、分別作業を容器と該容器の胴部を覆うラベルとに分けるだけの簡素化を図れる。ラベル製作コストも従前とほぼ同様に抑えることができる。(請求項１)
【０００８】
なお、本発明にかかる容器において、ラベルに舌片部を設け、前記舌片部に指を掛けられる孔を設ける構成としてもよい。これにより容器を容易にぶら下げられ携帯が楽になる。(請求項２)
【０００９】
さらに本発明にかかる容器において、指を掛けられる孔の周囲に舌片形状を形成するごとくミシン目、切れ目、切り欠き部の内のいずれか一つを設け、前記舌片形状を切り起し可能にした(胴部から離れる方向に起こす)ことを特徴としたもので、これにより容器を容易にぶら下げられ携帯が楽になる。(請求項３)
【００１０】
さらに本発明にかかる容器において、少なくとも胴部を包囲するラベルが筒状の熱収縮性樹脂フィルムまたは平板状たとえば略矩形の無収縮性樹脂フィルムのいずれか一方からなることを特徴としたもので、これによりラベルを効率よく容器の胴部周りに被覆できる。ラベル材料も樹脂部材の他に、任意の部材たとえば紙部材等を選択できる。ラベルの材料取りロスも従前とほぼ同様にでき、コストアップを抑制できる。(請求項４)
【００１１】
さらに本発明にかかる容器において、容器本体を缶、瓶、ペットボトル、紙パックの内のいずれか一つとしたことを特徴としたもので、これにより種々の容器の取り扱いが便利になる。また、携帯も容易にできる。さらに、容器の店頭展示において垂直面にフック等で掛けることができる。(請求項５)
【発明の効果】
【００１２】
上記構成により本発明容器は、ラベルの孔に指を掛けて前記容器をぶら下げられ携帯が楽になる。長時間の携帯も苦にならない。また、指ごとに容器をぶら下げて複数個同時に持ち運ぶこともできる。さらに、容器のリサイクルに際し、分別作業の簡素化を図れ容器と該容器の胴部を覆うラベルとに分けるだけでよい。ラベル製作コストも従前とほぼ同様に抑えることができる。さらに、容器の店頭展示等において垂直ボード面にフック等で掛けることができる。また、展示用バーに挿通して吊るすことができる。
【発明を実施するための最良の形態】
【００１３】
本発明にかかる容器は上述の通りである。少なくとも容器の胴部を包囲するラベルは一般的に略矩形状の感熱密着性ラベルを用いるのが好ましい。
例えば、容器に巻回し両端部を重合し、その重合部分を該両端部下面に設けられている感熱粘着層でもって押圧・加熱して添装する容器用感熱ラベルとするのが好ましい。そして、少なくとも前記両端部重合部分の上部に位置するラベル端部下面に設けられている該感熱粘着層が、加熱発泡性微粒子５〜３０％重量を含有する発泡性感熱粘着剤で構成される容器用感熱密着性ラベルとするのが好ましい。
【００１４】
さらに前記感熱粘着層を形成する成分が、軟化点８０〜１３０℃の熱可塑性樹脂を主成分としてなり、そして前記加熱発泡性微粒子が、沸点１００℃以下の飽和炭化水素含有の発泡性熱可塑性樹脂粒子によってなることが好ましい。
【００１５】
さらに、前記容器用感熱ラベルの支持体は無収縮性のポリプロピレンフイルム、ポリエチレンテレフタレ−トフイルム又はポリスチレンフイルムのいずれか一つとするのが好ましい。フィルムの厚さ寸法は２０〜２００μｍとするのが好ましい。好適には１００μｍ以下とするのが好ましい。
【００１６】
さらに、容器用感熱密着性ラベルの添装方法は次の（Ａ）〜（Ｃ）に記載する各工程を順次行うことが望ましい。即ち、（Ａ）所定サイズにカットされた容器用感熱密着性ラベルの全体を前記発泡性感熱粘着剤の有する発泡温度以下の温度で加熱して粘着力を発現させる第一工程、（Ｂ）そして前記粘着力の発現した前記ラベルの先端部を容器の側面に貼着した後、該容器を回転し巻回しつつ後端部が上面になるように重合する第二工程、（Ｃ）そして前記重合された部分を前記発泡性感熱粘着剤の有する発泡温度を越える温度で、押圧しつつ加熱して密着固定する第三工程とするのが好ましい。前記（Ｃ）の第三工程における押圧は０．３〜１．０×１０−５Ｐａとするのが好ましい。
【００１７】
略矩形状ラベルの製作は長尺シートの両端に発泡性感熱粘着層を所定の幅に配設した後、順次、金型でプレス孔あけ加工、裁断加工を経て分離していけばよい(図３参照)。なお、プレス加工、裁断加工に代えレーザー加工としてよいことは自明である。ラベルの外形についても矩形のほかに円形や楕円形など任意に実施してよいことも同様である。さらに、ラベルの支持体は上記のほかに紙や,紙と樹脂フィルムとの積層体であってもよい。
【００１８】
次に本発明を構成するもう一つの筒状ラベルについて説明する。本発明を構成する筒状ラベルは容器の胴部に被せたのち加熱により収縮させて前記胴部を覆う熱収縮性フィルム(シュリンクラベル)とするのが好ましい。前記熱収縮性フィルムとしてはポリ塩化ビニール、ポリスチレン、ポリエステル系フィルム等から選んだ一つとするのが好ましい。フィルムの厚さ寸法は２０〜２００μｍとするのが好ましい。好適には１００μｍ以下とするのが好ましい。
【００１９】
熱収縮性ポリエステル系フィルムとしては例えば、全ポリステル樹脂成分中における多価アルコール成分１００モル％中、１，４−シクロヘキサンジメタノール成分が１５モル％以上であるポリエステル樹脂からなり、かつ前記ポリエステル系フイルムの温湯収縮率が、主収縮方向において、処理温度７０℃・処理時間５秒で５〜６０％であり、８５℃・５秒で７５％以上であり、主収縮方向と直交する方向において、８５℃・５秒で１０％以下であることが好ましい。
また、前記熱収縮性ポリエステル系フィルムは、全ポリエステル樹脂成分中にポリエステルエラストマーを５重量％以上配合したポリエステル樹脂からなること、主収縮方向の熱収縮応力が１６ＭＰａ以下であること、厚み分布が６％以下であることが好ましい。
【００２０】
容器に筒状ラベルを装着する方法は一般的な方法に従えばよい。例えば容器の外側に筒状の熱収縮性ラベルを保持するとともに、この容器の口部を熱保護した後、当該容器の底部側から口部側に向けて順次周囲を加熱して前記熱収縮性ラベルを収縮装着するのが好ましい。さらに、前記容器を軸方向に相対的に移動させながら加熱するのが好ましい。さらに、前記容器を口部を下にした倒立状態として、前記熱収縮性ラベルの保持および加熱収縮を行うようにするのが好ましい。
【００２１】
筒状ラベルの製作は長尺の筒状シートを順次、金型でプレス孔あけ加工、裁断加工等を経て分離していけばよい(図６参照)。なお、プレス加工、裁断加工に代えレーザー加工としてよいことは自明である。
【００２２】
前記それぞれのラベルに穿設され,かつ指を掛ける孔の径は１５〜２２ｍｍ程度とするのが好ましい。また、前記指を掛ける孔を備えた舌片部の円弧部半径は１５〜２２ｍｍ程度(舌片部の幅が３０〜４４ｍｍとなる。)とするのが好ましい。なお、指を掛ける孔は円形のほかに楕円、長円など任意の形状としてよいことは自明である。
【００２３】
前記舌片部は図３に示すようにラベルの上辺の外側に突出させてもよいし、上辺の内側に配設してもよい(図４、図５参照)。前記舌片部をラベルの上辺の内側に配設する場合、舌片部の略周囲三方を切り欠いて形成したり、舌片部の形状に従って切れ目、ミシン目(図５参照)を入れておくのが好ましい。該構成により携帯時に舌片部を胴部から離れる方向に容易に起こし、指を掛けることができる。
【００２４】
なお、本発明にかかる容器は缶、瓶、ペットボトル、紙パックの内のいずれか一つとするのが好ましい。容器内にはコーヒー、お茶、清涼飲料、水などの各種飲み物、粉末状食材、穀類、調味料、薬液、錠剤など任意の部材を収納してよいことは言うまでもない。
【実施例１】
【００２５】
以下、本発明の一実施例における容器を図面とともに説明する。図１は本発明の一実施例における容器の要部斜視図、図２は図１を側面から見た要部斜視図、図３は図１を構成するラベルの平面図、図４は図１を構成するもう一つのラベルの平面図、図５は図１を構成するもう一つのラベルの平面図を示す。
【００２６】
図1、図２に示す容器１００はペットボトル５０の胴部に略矩形の感熱密着性ラベル１０を巻回してなり、前記感熱密着性ラベル１０に指を掛けられる孔１２を設けたことを特徴とする。
感熱密着性ラベル１０の詳細を図３に示す。感熱密着性ラベル１０は略矩形状をなし、支持体が無収縮性のポリエチレンテレフタレ−トフイルム、厚さ寸法１００μｍ、両端の幅５〜１０ｍｍの範囲に加熱発泡性微粒子５〜３０％重量を含有する発泡性感熱粘着剤１５を塗布している。
さらに、ラベルの上辺の外側方向に舌片部１１を突設している。舌片部１１は幅４０ｍｍ程度で先端部を円弧状としている。舌片部１１の略中央部には指を掛ける直径２０ｍｍ程度の孔を穿孔してなる。ラベルの下辺の内側方向に前記舌片部１１の外形に相当する切り欠き部１３を備えている。
【００２７】
感熱密着性ラベル１０は、二点鎖線で示す長尺シート１の両端に発泡性感熱粘着層１５を塗布した後、順次、金型でプレス孔あけ加工、裁断加工を経て分離していけばよい。
【００２８】
なお、感熱密着性ラベル１０の外形を任意形状としてよいことは前述した。例えば、図４に示す感熱密着性ラベル２０は舌片部２１を上辺の内側近傍に設けたもので、舌片部２１の周囲に切り欠き部２３を備えてなる。符号２２は指を掛ける孔を示す。
同様に、図５に示す感熱密着性ラベル３０は舌片部３１を上辺の内側近傍に設けたもので、舌片部３１の外形とその周囲にミシン目３３を備えてなる。符号３２は指を掛ける孔を示す。なお、前記ミシン目３３に代え切れ目としてよいことは自明である。
【００２９】
上記構成により本発明の容器１００はラベルの孔１２に指を掛けて容器１００をぶら下げて携帯できる。長時間の携帯も苦にならない。また、指ごとに容器をぶら下げて複数同時に持ち運ぶこともできる。さらに、容器のリサイクル簡素化を図れる。即ち、分別作業は容器本体と該容器本体の胴部を覆うラベルとに分けるだけでよい。ラベル製作コストも従前とほぼ同様に抑えることができる。さらに、容器の店頭展示等において垂直ボード面にフック等で掛けることができる。また、展示用バーに挿通して吊るすことができる。
【実施例２】
【００３０】
図６は本発明のもう一つの実施例における容器を構成する筒状ラベルの斜視図を示す。実施例２における容器は、筒状ラベル４０をペットボトルの少なくとも胴部に被せたのち熱収縮して装嵌する構成とした(図示せず)。
ラベル４０はポリエステル系フィルムからなる筒状の熱収縮性フィルム(シュリンクラベル)とした。フィルムの厚さ寸法は１００μｍとした。
【００３１】
筒状ラベル４０は上辺の外側に2箇所の舌片部４１を対称形に突設している。舌片部４１は幅４０ｍｍ程度で先端部を円弧状としている。舌片部４１の略中央部には指を掛ける直径２０ｍｍ程度の孔を穿孔してなる。筒状ラベル４０の下辺の内側に前記舌片部４１の外形に相当する切り欠き部４３を2箇所対称形に備えてなる。
筒状ラベル４０は、筒状の長尺シートを平板シート状に畳んで順次、金型でプレス孔あけ加工、裁断加工を経て分離していけばよい(図示せず)。
【００３２】
なお、舌片部４１を上辺の内側近傍に設けてよいことは実施例１と同様である。また上辺の内側近傍に設けた舌片部の外形とその周囲にミシン目または切れ目を備えてよいことも自明である。
【００３３】
実施例２における容器もいずれか一方の舌片部４１の孔４２に指を掛けて容器をぶら下げ携帯できる。長時間の携帯も苦にならない。また、指ごとに容器をぶら下げて複数同時に持ち運ぶこともできる。さらに、容器のリサイクルに際し、分別作業を容器と該容器の胴部を覆うラベルとに分けるだけの簡素化を図れる。ラベル製作コストも従前とほぼ同様に抑えることができる。さらに、容器の店頭展示等において垂直ボード面にフック等で掛けることができる。また、展示用バーに挿通して吊るすことができる。
【産業上の利用可能性】
【００３４】
本発明は、把手の無い缶、瓶、ペットボトル、紙パックなどの各種容器のほかに筒状物、棒状物からなる各種商品たとえば筆記具、棒状糊、口腔殺菌剤、チューブに入った練り歯磨き、化粧品、ヘアスプレーなどの容器を指でぶら下げて携帯する場合に利用できる。
【図面の簡単な説明】
【００３５】
【図１】本発明の一実施例における容器の要部斜視図
【図２】図１を側面から見た要部斜視図
【図３】図１を構成するラベルの平面図
【図４】図１を構成するもう一つのラベルの平面図
【図５】図１を構成するもう一つのラベルの平面図
【図６】本発明のもう一つの実施例における容器を構成する筒状ラベルの斜視図
【符号の説明】
【００３６】
１  長尺シート
１０、２０、３０、４０  ラベル
１１、２１、３１、４１  舌片部
１２、２２、３２、４２  孔
１３、２３、４３  切り欠き部
１５、２５、３５  感熱粘着層
３３  ミシン目
５０  ペットボトル
１００  容器
【図１】
2008007140.tif 000003
【図２】
2008007140.tif 000004
【図３】
2008007140.tif 000005
【図４】
2008007140.tif 000006
【図５】
2008007140.tif 000007
【図６】
2008007140.tif 000008